(57)【要約】      （修正有）【課題】低減された力のみで別のブロックに取り付けることができるが、特に回転的遊びを考慮して、確実な相互連結力を提供する玩具ビルディング・ブロックを提供する。【解決手段】積み重ね用の玩具ビルディング・ブロックは、上部に１個又は複数のスタッドと、下部にリセスとを備える。スタッドは丸い歯先１２と、歯１２の間の同様に丸い溝１０とを備える歯車に似た断面を示す。リセスはそれぞれ、溝１０に形状的に適合する複数の垂直に延びるランド１４を備える。スタッドは容易にリセスに滑って入り、またそれから滑って出るが、小さい遊びの回転抑制が得られる。好ましくは、ビルディング・ブロックは、吹込プロセスで製造され、安全な相互連結のためにねじを備えることができる。外部スロット４６が、画像や追加の機能要素などをもつパネル４７との組み合わせを可能にする。【選択図】図２
2010148888.tif 000002
【特許請求の範囲】
【請求項１】
積み重ねることが可能な、上面（４）に少なくとも１個のスタッド（３）と、下面（７）に少なくとも１個のリセス（６）とを備え、前記スタッド（３）が、前記リセス（６）に挿入可能である玩具ビルディング・ブロック（１）であって、
前記スタッドの断面（３）が、歯車に似て、前記スタッドが、円周上に配置された、実質的に等間隔に連続した丸い歯先（１２）をもった歯と、その間に点在した同様に丸い断面形状の溝（１０）とを示し、並びに、
前記リセス（６）の側壁が、前記断面形状の溝（１０）の断面形状に相補的な丸い断面形状の少なくとも１個のランド（１４）を備え、
前記リセス（６）内に挿入されたスタッド（３）が、少なくとも３つの接触ゾーンによって導かれ、少なくともそのうちの１つが１つの丸い断面形状の溝（１０）内に係合可能なランド（１４）であり、該ランド（１４）が前記スタッド（３）の前記丸い溝（１０）に係合した際に前記スタッド（３）の該ランド（１４）に相対的な回転をほぼ完全に防止するようにされることを特徴とする玩具ビルディング・ブロック（１）。
【請求項２】
少なくとも３個のランド（１４）、好ましくは４個、６個、又は８個のランド、最も好ましくは、４個のランドが、前記リセス（６）中に存在することを特徴とする請求項１による玩具ビルディング・ブロック（１）。
【請求項３】
前記ランド（１４）が、スタッド（３）を挿入したときにそれを導くための大多数の、好ましくはすべての接触ゾーンを構成することを特徴とする請求項１又は２の一項による玩具ビルディング・ブロック（１）。
【請求項４】
前記スタッド（３）が少なくとも４の回転対称を示すことを特徴とする請求項１から３までのいずれか一項による玩具ビルディング・ブロック（１）。
【請求項５】
前記スタッドの前記回転対称が、６、８又は１２、好ましくは８であることを特徴とする請求項４による玩具ビルディング・ブロック（１）。
【請求項６】
それぞれが１つのスタッド（３）と１つのリセス（６）とを備える立方体の構成単位から本質的に構成されることを特徴とする請求項１から５までのいずれか一項による玩具ビルディング・ブロック（１）。
【請求項７】
少なくとも１つのスタッド（３）又は１つのリセス（６）の中央で、貫通孔（１７）が備えられ、前記孔（１７）が前記ビルディング・ブロック（１）の上部から下部に延び、したがって、前記少なくとも１のねじ（２１）が前記ビルディング・ブロック（１）を貫通することができることを特徴とする請求項１から６までのいずれか一項による玩具ビルディング・ブロック（１）。
【請求項８】
貫通孔（１７）が第１のねじ山（１９）を備え、前記少なくとも１つのねじ（２１）を前記構成ブロック（１）を通ってねじ込むことができることを特徴とする請求項７による玩具ビルディング・ブロック（１，３３，３７）。
【請求項９】
前記孔（１７）が前記スタッド（３）内部に、前記少なくとも１つのねじ（２１）のヘッドを受けることを可能にするための拡大部を備えることを特徴とする請求項７または８による玩具ビルディング・ブロック（１，３３，３７）。
【請求項１０】
パネル（４７）などの構成装置のエッジを保持するためのスロット（４６）備えることを特徴とする請求項１から９までのいずれか一項による玩具ビルディング・ブロック（１，３３，３７）。
【請求項１１】
リセス（６）だけをもつビルディング・ブロック（６７）および少なくとも１のスタッド（３）とを含み、該少なくとも１つのスタッド（３）が、スタッド（３）の横断面形状を有する部品（７０，７８）によって構成され、該部品（７０，７８）が、ビルディング・ブロックのリセス（６）内に挿入されるとビルディング・ブロック（６７）から突出することを特徴とする請求項１から１０までのいずれか一項による玩具ビルディング・ブロック。
【請求項１２】
玩具ビルディング・ブロック・セットにおいて、請求項７から１１までのいずれか一項による少なくとも１つの玩具ビルディング・ブロックおよび少なくとも一つのねじ（２１，３１，３５，７４）を含み、該少なくとも１つのねじ（２１，３１，３５，７４）が、ヘッド（２９）と、該少なくとも１つのねじの先端部外面に形成された第３のねじ山（２５）と、該少なくとも１つのねじの前記ヘッド（２９）内の第４のめねじ（２７）であって、前記ねじを他のものの前記ヘッドにねじ込むことができるような前記第３のねじ山に適合する第４のめねじ（２７）を備えることを特徴とする玩具ビルディング・ブロック・セット。
【請求項１３】
前記少なくとも１つのねじ（２１）が、前記スタッド（３）の孔（１７）の内方に設けた前記第１のねじ山（１９）と適合する第２のねじ山（２３）を備え、前記第３のねじ山が前記第２のねじ山より小さい直径をもつことを特徴とする請求項１２による玩具ビルディング・ブロック・セット。
【請求項１４】
前記少なくとも１つのねじの前記ヘッド（２９）が、リセス（３９）を備え、前記リセスが、円形に似た形状の歯溝（４１）で分けられた規則的に配置された内向きの歯先（４０）からできている断面をもち、したがって、相補的形状の工具（４３）の端部を挿入し、前記ヘッド（２９）内に回転的に固定できることを特徴とする請求項１２または１３による玩具ビルディング・ブロック・セット。
【請求項１５】
前記リセス（３９）の前記断面が、そのヘッド（２９）において、少なくとも４個、好ましくは６個から１２の歯先（４０）をもつことを特徴とする請求項１４による玩具ビルディング・ブロック・セット。
【請求項１６】
前記少なくとも１つのねじ（７４）は、前記第１のねじ山（１９）に適合する第２のねじ山（８２）を有し、該第２のねじ山（８２）は、短い距離で設けられ、該少なくとも１つのねじ（７４）を回転することにより該第２のねじ山（３２）は該第１のねじ山（１９）の下方に進められ、よって該少なくとも１つのねじ（７４）が自由回転可能となることを特徴とする請求項１２に記載の玩具ビルディング・ブロック・セット。
【請求項１７】
前記少なくとも１つのねじ（２１，３１，３５，７４）用のねじ回し工具（４３）を含み、前記ねじ回し工具は、本質的に、前記少なくとも１つのねじ（２１，３１，３５，７４）内のリセス（３９）に相補的な形状をした断面をもつ棒であることを特徴とする請求項１２から１６までの一項による玩具ビルディング・ブロック・セット。
【請求項１８】
少なくとも１つのねじ（２１，３１，３５，７４）を含み、該ねじ（２１，３１，３５，７４）は、リセス（３９）を設けたヘッド（２９）を有するものであり、該リセス（３９）は、かつ丸い溝（４１）を間において隔置された規則正しく配列された内方に向く、複数の歯先（４０）を有する断面形状であり、これにより、該リセス（３９）と相補的な断面形状の工具（４３）を相対回転不可能に該リセス（３９）に挿入可能であることを特徴とする、請求項７から１１までのいずれか一項による玩具玩具ビルディング・ブロック・セット。
【発明の詳細な説明】
【技術分野】
【０００１】
本発明は、請求項１のプレアンブルによる玩具ビルディング・ブロックに関する。それはまた、請求項１２のプレアンブルによる玩具ビルディング・ブロックとねじを含む玩具ビルディング・ブロック・セットにも関する。
【背景技術】
【０００２】
一方を他方の上に積み重ねる玩具ビルディング・ブロックは、一般にその上面にスタッドと、その下面に対応するリセスとを備える。スタッドを多かれ少なかれ力でリセスに押し込むことができ、それによって、係合力は、そのようにして確立された２個のビルディング・ブロックの相互連結の強さに関連する。取り付け及び分離のいくつかのサイクルの後、回転的遊びの増加と平行して、力が弱まり、連結力が減少する。特に、新しいビルディング・ブロックを組み立てるための相当の力が、それらを、より小さい子供により適さないものにする。
【０００３】
別の基準は、少数タイプだけのビルディング・ブロックを組み合わせる３次元構成の可能性及び容易さである。知られたビルディング・ブロック・システムのほとんどが、様々な場合に対処するために、かなり多くの数の特別の形状のビルディング・ブロックを提供する。
【発明の開示】
【発明が解決しようとする課題】
【０００４】
したがって、本発明の１つの目的は、低減された力のみで別のブロックに取り付けることができるが、特に回転的遊びを考慮して、確実な相互連結力を提供する玩具ビルディング・ブロックを提案することである。
【０００５】
さらなる目的は、これらのビルディング・ブロックを他のものに締結する手段を提供することである。
【課題を解決するための手段】
【０００６】
最初に述べられた目的は、請求項１に定義された玩具ビルディング・ブロックによって達成される。さらなる請求項は、その好ましい実施例と、第２の目的を解決する締結手段と、締結手段を動作させる工具とを定義する。
【０００７】
したがって、本発明によるビルディング・ブロックは、その表面に少なくとも１個のスタッドを備える。ほぼ円筒形状のスタッドは、歯と、丸い歯の間の溝とを備える歯車に似た断面をもつ。好ましくは、断面は、交互に変化する凸面−凹面の特徴を備えて連続して配置された円セクション、又は、より一般的には曲線セクションの連続から構成される。好ましくは、溝は、大きい直径、即ち歯よりも小さい曲率の弧からできている。
【０００８】
スタッドに相補的に、玩具ビルディング・ブロックの下面に、リセスが、少なくとも１個の垂直に延びるランドを備える。スタッドがリセス内に挿入される場合、ランドはスタッドの溝の中に滑って入る。この運動は比較的小さい力しか必要としない。対照的に、独特の断面のため、多くの組立／分解サイクルの後でも、回転に関して感知できる遊びはほとんどない。
【図面の簡単な説明】
【０００９】
【図１】部分的断面をもち、統合されたパネルを備える本発明による玩具ビルディング・ブロックからなる配置の正面図である。
【図２】図１の配置の上面図である。
【図３】部分的な切断面を備える３個のスタッドのビルディング・ブロックの側面図である。
【図４】２個のスタッドのビルディング・ブロックの上面図である。
【図５】２個Ｘ２個のスタッドのビルディング・ブロックの上面図である。
【図６ａ】ねじの部分断面を備える立面図である。
【図６ｂ】図６ａのねじの上面図である。
【図７ａ】ねじ回しの立面図である。
【図７ｂ】図７ａのねじ回しの上面図である。
【図８】２価のビルディング・ブロックの長手方向断面図である。
【図９】図８のビルディング・ブロックの上面図である。
【図１０ａ】取り外し可能なポストの図１０ｂのＸ−Ｘに沿った断面図である。
【図１０ｂ】取り外し可能なポストの上面図である。
【図１１】短いナットの長手方向断面図である。
【図１２】長いナットの長手方向断面図である。
【図１３】第２のタイプのボルトの側面図である。
【図１４】２価のビルディング・ブロックを備える取り付け配置の図１５のＸＩＶ−ＸＩＶに沿った長手方向断面図である。
【図１５】図１４の配置の上面図である。
【図１６】水平の半溝をもつ構成ブロックの積み重ねの側面図である。
【図１７】図１６の構成ブロックの上面図である。
【図１８】構成ブロックの角度を付けた配置の上面図である。
【００１０】
本発明を、図に関して好ましい実施例によって詳細に説明する。
【実施例】
【００１１】
玩具ビルディング・ブロック１は、上面４にスタッド３と、下面７に１個又は複数のリセス６とを備える（図３）。スタッド３は、歯９と、その間の丸い形状を示す隙間又は溝１０とを備える歯車に似た断面をしている。詳細には、それらは、交互に変わる曲率方向をもった本質的に円セクションよりなる円形の配置を構成する。実施例では、歯先１２の曲率の絶対値は、溝１０の曲率より相当に大きい。スタッドの断面は、８重の対称であり、即ち歯が正８角形に従って配置される。
【００１２】
この回転対称のために、スタッド３、したがってビルディング・ブロック１を、別のブロック１に固定した回転方向に４５°のステップで、即ち直線的に、横向きに（９０°）、並びに４５°の角度の単位で取り付けることができる。それによって、３次元配置のマニホルドを生み出すことができる。
【００１３】
相補的に、ビルディング・ブロック１の下部のリセス６は、垂直に延びるランド１４を備える。ランド１４の断面は、それらがリセス内に挿入されたスタッド３の溝１０に容易に滑って入るが、安定した回転的固定を提供するように選択される。
【００１４】
実施例では、１個のスタッドにつき１個のリセスが設けられ、各リセスは４個のランド１４を備える。
【００１５】
安全な相互連結のために、様々なビルディング・ブロック（図１、３参照）は各スタッド３に第１のねじ山１９が設けられた孔１７を備える。孔１７の中に、ねじ２１を挿入することができる。ねじ２１は、より太い中央部分に第２のねじ山２３を、その端部に第３のねじ山２５を、そのヘッド２９に、内向きに第４のねじ山２７をもつ。第３のねじ山２５は、上部ビルディング・ブロック３３内のねじ３１を、下のビルディング・ブロック３７内のねじ３５のヘッド２９にねじ込むことができるように、第４のねじ山２７に適合する（図１）。
【００１６】
ねじを取り除くと、ねじ用に準備されたビルディング・ブロックを、孔１７を備えない第１タイプのビルディング・ブロックと共に使用することができる。同様に、第１タイプのビルディング・ブロックを、ねじのありなしにかかわらず、第２タイプのビルディング・ブロックに積み重ねることができる。第１のビルディング・ブロックから第２のビルディング・ブロックへの遷移として、第２のビルディング・ブロックが、例えば、第３のねじ山をもつ端部を削除したねじを備えることができる。
【００１７】
ねじ２１のヘッド２９は、円筒形状であり、中央の円形リセス３９を備える。リセス３９の側壁は、この場合も歯車に似た形状であるが、この場合、外向きの溝４１は丸いが、内向きの歯４０は丸くない（図６ｂ）。したがって、相補的な形状のねじ回し工具４３を、ヘッドのリセス３９内に挿入することによって、ねじ２１を操作するのに使用することができる。ねじ回し工具４３は、必要な、相補的形状４４を示す断面を備える単なる棒である。一方、この工具は、使用するのが簡単であり、したがって、低い年齢の子供に適しており、凸凹した表面が確実なグリップを保証する。さらに、ねじ回しは、凸凹した表面のために、転がっていくことがなく、ねじに挿入されたとき、それはヘッド内で、それ自体で直立する。
【００１８】
ビルディング・ブロック１に戻ると、側部外面は、その中にパネル４７を挿入することができるスロット４６を備える（図１参照）。それによって、ビルディング・ブロックを含む装置を、装飾４８を示すパネル、色彩、漫画の挿絵の表示、追加の機能要素（車、音や音色を発生させるための道具）などと組み合わせることができる。
【００１９】
スロット４６は、パネル４７がビルディング・ブロック１の通常の延長部を構成するように、スタッド３の中央軸に平行に配置される。実施例では、スロット４６は、９０°の位置に配置されるが、追加のスロットを、例えば４５°の位置に備えることができる。
【００２０】
一般に、ビルディング・ブロック１は、構成ユニットに等しい１個（図１；４９）又は複数のスタッド３を提供することができる。例えば、図４は、２個のスタッド又は２個の構成ユニットを備えるビルディング・ブロック５０を示し、図１、２及び３は、直線配置の３個の構成ユニットを備える１個の５１を示し、図５は、２次配置の４個の構成ユニットを備える１個の５２を示す。同様に示されるように、ビルディング・ブロックのコーナにエッジを付けられるが、安全の理由で若干丸くし（図５のエッジ５４参照）、或いはビルディング・ブロックの端部を円筒のように形づくることができる（図１での単一スタッド・ブロック４９の形状、並びに図２及び３での、２個のスタッド、又は３個のスタッドのブロック５０及び５１の端部セクション参照）。
【００２１】
図８及び９は、２価の構成ブロック６７を示す。即ち、このブロックは、上側及び下側にリセス６を、この場合はそれぞれに５個を備える。リセス（又はスタッド）がブロックの中央に位置するので、奇数が好ましい。２価の構成ブロック６７のリセス内に、他の構成ブロックのスタッド３を挿入することができる。それによって、反対方向の構成ブロックの積み重ねを構成することができる。
【００２２】
スタッドを備える２価の構成ブロック６７のリセス６を提供することも可能である。図１０は、スタッド・インサート７０を示す。内部的に、ベース７２が、ねじ２１（又は第２のねじ７４、以下参照）に対応する一端に拡大部７３を備える。
【００２３】
インサート７０をねじ２１、７４並びに短いナット７６又は長いナット７８によってリセス６に取り付けて固定することができる。この違いは図１４で説明する。即ち、短いナット７６は、リセス６内に嵌合し、したがって突出しない。対照的に、長いナット７８は、リセス６から突出し、したがって、反対の方向に延びる別のスタッド６を構成する。
【００２４】
もちろん、両方のタイプのナットはインサート７０と本質的に同じ外部形状、即ち、図１０ｂに示されるようなスタッドの外部形状を示す。インサート７０及び長いナット７８は、一端では、この形状を備えないことがあり、又短いナット７６にとっては本質的でないが、それによって、ナット７６、７８及びインサート７０が、リセス内に保持され、回転に対して固定され、したがってねじ２１、７４を締めることが容易になる。
【００２５】
ナット７６、７８のめねじ８０は、ねじ２１、７４の第３のねじ山２５に適合する。一方、インサート７０は、ねじ山を備えず、したがって、ねじ２１、７４を、ねじ込まずに押し込むことができる。
【００２６】
ねじ７４に関して、ねじ２１とは対照的に、それは相当に短くされた第２のねじ山８２を備える。これを、短くされたスタッド３の内部に、第１のねじ山１９と組み合わせて見ることができる。
【００２７】
基本的に、ねじ山１９は、孔１７の下端部から小さい距離のところに設けられ、したがって、ねじ７４を短くされたねじ山１９を通って、ねじ山８２がねじ山１９の下になるまでねじ込むことができ、したがって、ねじを自由に回転させることができる（拘束ねじ）。
【００２８】
図１４に示すように、孔１７が、ほぼ１回転分短くされた第１のねじ山８４を、孔１７の下端のより上で、少なくともねじ山８２の高さ付近の位置に備えることができる。それによって、ねじ山８４の下に、ねじ山８２が自由に動くことができるスペース８６が作られる。
【００２９】
図１４及び１５は、２価のブロック６７の上部に取り付けられた３個のスタッドのブロック５１を示す。着脱可能のスタッド・インサート７０が、ねじ８８及び短いナット７６を使用してリセス６内に固定される。インサート７０上に、３個のスタッドのブロック５１が、２価のブロック６７に直交して配置され、別のねじ８９によって固定される。
【００３０】
２価のブロック６７の下面に、２個のスタッドのブロック５０が、３個のスタッドのブロック５１の反対方向、即ち上下反対に取り付けられる。この目的のために、長いナット７６が、２個のスタッドのブロック５１のリセス６内にねじ９０によって固定される。この配置を、別のスタッド・インサート７０をリセス８１に挿入し、それを通ってねじ２１、７４を打ち込み、それを長いねじ７６のねじ山８０内にねじ込むことでさらに固定することができる。もちろん、短くされた型のねじ２１、７４を、インサート７０なしで役立てることもできる。しかし、第２の長さのねじを導入することで、ビルディング・システムは、より複雑となる。
【００３１】
図１６−１８は、ビルディング・ブロック９３−９７が、追加の半溝９９、１００を、それぞれ上部及び下部水平エッジのところに、側部エッジに沿って備えることを示す。２個のブロック、例えばブロック９３、９４を組み立てることによって、半溝が一緒になって、パネル４７を保持する溝１０２を組み立てる。
【００３２】
図１６は、構成ブロックの重要な特徴を示す。スタッド３のかなりの高さ、即ちリセス６内のかなりの係合、及びスタッド３の対応する溝１０内のリセス６のランド１４の確動係合のために、図１６の配置は、ブロックが一緒でない場合でさえも、又２個のブロックの２個のターミナル・スタッドが使用されるにもかかわらず、上部構成ブロック９４の小さい傾斜しか示さない。さらに、力１０４さえも、確動係合のために、傾斜角１０６を大幅には増加させない。さらに言及すると、相互連結を締め付けると安定するので構成ブロックを強いて一緒にしなければならないシステムとは対照的に、この利点は、容易で滑らかな組立行動の特徴を保持することで得られる。
【００３３】
本発明による構成システムの他の性質は、それがほとんど摩耗にさらされないことである。
【００３４】
最後に、図１８に関して角度を付けた配置が示される。明らかに、例示的なスタッドの８重の回転対称によって、４５°の角度及びその倍数の角度が実現する。この角度を付けた配置では、正に、垂直の相互連結の剛性が有利であり、ボルト締めさえしないで、橋の構成を可能にする。
【００３５】
説明されたビルディング・ブロックの他の有利な態様は、立方体単位、即ち、すべて同一のセルの高さ６０、セルの幅６２及びセルの長さ６４をもつ体積単位に基づいていることにある。それによって、３次元の構成を作ることが簡単化され、必要なタイプのビルディング・ブロックの数を数個のみに低減させる。
【００３６】
それらの変形として、１つ又は他の寸法（長さ、幅及び／又は高さ）が基本単位の整数倍又は分数であるビルディング・ブロックを考えることができる。
【００３７】
ビルディング・ブロックは、吹込成形によって製造される。そのようにして得られたビルディング・ブロックは中空なので、軽く、浮くことさえもする。この製造方法によって、例えば、６０ｍｍの長さ単位に基づくビルディング・ブロックを製造することができ、それらは丈夫で、その寸法のゆえに小さい子供に適しており、さらに軽い。吹込を考慮すると、鋭いエッジをビルディング・ブロックの形状から完全に取り除くことができることは利点である。
【００３８】
例としてさらに言及すると、吹込ビルディング・ブロックを、飲み物又は液体石けんなどの流体材料用の容器として使用することが可能であり、捨てないで、後で玩具として役にたつ。
【００３９】
ビルディング・ブロックを、別のプロセス、例えば射出成形によっても製造することができる。しかし、吹込は、射出成形と比べると、より自由に表面を形づくることを可能にする。
【００４０】
実際には、別の有利な性質が認められた。即ち、吹込によって製造されたビルディング・ブロックは、別のものに容易に滑って入るが、スタッドの面が、積み重ねられた構成リセスの内部の接触ゾーンに付着効果を示す。この効果は、分解の容易さを減ずることなく、安定性及び剛性を考慮した最終的な構成を改善する。美的観点から、スタッドの形状が、特により小さい子供には魅力的な印象を与える花を思い起こさせ、装飾要素として役に立つことが認められる。
【００４１】
同様に、ねじを任意の適切なプロセスで製造することができる。例えば、それらを、吹込成形することができる。そのようにして得られたねじは、中空で軽量である。別の手近な製造プロセスは射出成型である。
【００４２】
好ましい実行実施例の説明から、当分野の技術者は、請求の範囲によって定義された本発明の範囲を逸脱することなく、変形を容易に導くことができる。
【００４３】
考えられるいくつかの変形は以下の通りです。
−  ビルディング・ブロックは、任意の数の、例えば６個、８個のスタッド及び／又はリセスを様々な配置内にもつことができる。
−  スタッドの対称性を変えることができ、例えば、回転ステップが３０°に対応する１２重の対称を選択することができる。奇数次数の対称さえも考えることができるが、それらは、簡単な構成さえも子供が実現するには不可能ではないとしても、かなり難しくする。
−  基本単位を広範囲に変化させることもできる。一方又は他方の単位を他の基本単位から変化させることができ、例えば、高さ単位が、幅及び長さ単位の半分でもよい。
−  ビルディング・ブロックを、選択された製造プロセス、好ましくは吹込で使用することができる非常に多様な材料から構成することができる。もちろん、有機又は生物さえも起源とする繊維材料で多分強化された高分子化合物など軽い材料が好ましい。
−  基本形状を、例えば瓶又は容器としての事前の使用に応じるように変えることができる。
−  下部のリセスが別なように形づくられ、例えば、各々がランドをもつ３個の側壁、或いは回転固定用のランドをもつ少なくとも１個の側壁を備え、多角形の断面を提供するより多くの側壁があってもよい。
−  上面が、角度を付けた積み重ねを作るために下部平面に対して傾斜していてもよい。
−  締結手段として、差込連結器を使用する。
−  スタッド３の高さ及び／又はリセス６の深さを、変化させることができる。もちろん、リセス６は、スタッドを完全に受けることができるべきである。好ましくは、スタッドの高さは、セルの高さ６０の少なくとも３０％であり、最も好ましくは、ほぼ３分の１である。同じことが、多分、製造公差を補償するためのいくらかの剰余をもって、リセスの深さにも適用される。
【図１】
2010148888.tif 000003
【図２】
2010148888.tif 000004
【図３】
2010148888.tif 000005
【図４】
2010148888.tif 000006
【図５】
2010148888.tif 000007
【図６ａ】
2010148888.tif 000008
【図６ｂ】
2010148888.tif 000009
【図７ａ】
2010148888.tif 000010
【図７ｂ】
2010148888.tif 000011
【図８】
2010148888.tif 000012
【図９】
2010148888.tif 000013
【図１０ａ】
2010148888.tif 000014
【図１０ｂ】
2010148888.tif 000015
【図１１】
2010148888.tif 000016
【図１２】
2010148888.tif 000017
【図１３】
2010148888.tif 000018
【図１４】
2010148888.tif 000019
【図１５】
2010148888.tif 000020
【図１６】
2010148888.tif 000021
【図１７】
2010148888.tif 000022
【図１８】
2010148888.tif 000023